(57)【要約】【課題】記録媒体の特性情報に基づいて、精度の高い記録媒体の種類識別を行うこと。【解決手段】記録用紙で反射させるための光を照射する反射光用ＬＥＤ３３と、記録用紙を透過させるための光を照射する透過光用ＬＥＤ３４と、記録用紙で反射された反射光、及び記録用紙を透過した透過光を撮像するエリアセンサ３５と、反射光の画像情報に対応付けられた記録用紙の第１特性情報、及び透過光の画像情報に対応付けられた記録用紙の第２特性情報を記憶するＲＯＭ４０と、エリアセンサ３５の撮像結果から得られる画像情報をＲＯＭ４０の記憶内容と照合し、その照合結果によって、記録用紙の種類を識別するＣＰＵ３８と、を備えた。【選択図】図２
2010195518.tif 000002
【特許請求の範囲】
【請求項１】
記録媒体の種類を識別する記録媒体識別装置において、
前記記録媒体で反射させるための光を前記記録媒体に照射する第１光源と、
前記記録媒体を透過させるための光を前記記録媒体に照射する第２光源と、
前記記録媒体で反射された反射光、及び前記記録媒体を透過した透過光を撮像する撮像手段と、
記録媒体で反射された反射光の画像情報に対応付けられた記録媒体の第１特性情報、及び記録媒体を透過した透過光の画像情報に対応付けられた記録媒体の第２特性情報を記憶する記憶手段と、
前記撮像手段の撮像結果から得られる画像情報を前記記憶手段の記憶内容と照合し、その照合結果によって、前記記録媒体の種類を識別する識別手段と、を備えたことを特徴とする記録媒体識別装置。
【請求項２】
前記識別手段は、前記撮像手段が撮像した反射光画像情報が、前記記憶手段に記憶された第１特性情報と対応するか否かを照合するとともに、前記撮像手段が撮像した透過光画像情報が、前記記憶手段に記憶された第２特性情報と対応するか否かを照合し、その照合結果によって、前記記録媒体の種類を識別する請求項１に記載の記録媒体識別装置。
【請求項３】
前記識別手段は、前記反射光画像情報が、前記記憶手段に記憶された前記第１特性情報に対応するか否かを照合し、
その照合結果に基づいて前記透過光画像情報と照合を行う第２特性情報を絞り込み、そのうえで、前記透過光画像情報が、絞り込まれた第２特性情報のいずれかと対応するか否か照合し、その照合結果によって、前記記録媒体の種類を識別する請求項２に記載の記録媒体識別装置。
【請求項４】
請求項１〜請求項３のいずれか一項に記載の記録媒体識別装置と、
前記記録媒体を搬送する搬送装置と、
前記記録媒体に記録処理を施す記録手段と、
前記記録媒体識別装置の識別結果に基づいて前記記録手段及び前記搬送装置を可変制御する制御手段と、を備えた記録装置。
【請求項５】
記録対象としての記録媒体の種類を識別する記録媒体識別方法において、
前記記録媒体で反射させるための光を前記記録媒体に向けて照射する第１照射段階と、
前記記録媒体を透過させるための光を前記記録媒体に向けて照射する第２照射段階と、
前記記録媒体で反射された反射光の画像情報、及び前記記録媒体を透過した透過光の画像情報を撮像する撮像段階と、
前記撮像段階の撮像結果を利用して、記録媒体で反射された反射光の画像情報に対応付けられた記録媒体の第１特性情報及び記録媒体を透過した透過光の画像情報に対応付けられた記録媒体の第２特性情報の照合を行う照合段階と、
前記照合段階の照合結果に基づいて、前記記録媒体の種類を識別する識別段階と、を備えたことを特徴とする記録媒体識別方法。
【発明の詳細な説明】
【技術分野】
【０００１】
本発明は、記録媒体の種類を識別する記録媒体識別装置、記録装置、及び記録媒体識別方法に関する。
【背景技術】
【０００２】
インクジェットプリンター等の記録装置で使用される記録媒体としては、普通紙をはじめ、写真用紙光沢やマット紙、光沢フィルムなど、様々な種類の記録媒体が提供されている。そして、このような様々な種類の記録媒体を使用する場合には、使用する記録媒体の種類に応じてそれぞれ異なる印刷方法を実施した方が好ましい。すなわち、使用する記録媒体が「普通紙」ならば、「普通紙」に適した印刷制御を実行し、使用する記録媒体が「光沢紙」ならば、「光沢紙」に適した印刷制御を実行した方が、記録媒体に適した印刷条件で印刷を行うことができる。
【０００３】
しかしながら、ユーザーが印刷装置に対して記録媒体の種類の設定を行う場合、実際に給紙部にセットされた記録媒体の種類と、ユーザーにより設定された記録媒体の種類とが異なる場合があり、そのような場合には、印刷装置によって記録媒体に適した印刷を行えない場合があった。
【０００４】
そこで、この問題を解決するために、従来、給紙部にセットされた記録媒体の種類を判別する記録媒体判別装置が提案されている（例えば、特許文献１参照。）。この特許文献１に記載の記録媒体判別装置では、給紙された記録媒体の表面に対して光を照射する反射用ＬＥＤと、反射用ＬＥＤによって照射された光照射領域内を映像として読み取り出力するＣＭＯＳエリアセンサとを備え、ＣＭＯＳエリアセンサの出力値から記録媒体の表面平滑性を判断して、記録媒体の種類を判別するようにしていた。
【先行技術文献】
【特許文献】
【０００５】
【特許文献１】特開２００８−１５４９９号公報
【発明の概要】
【発明が解決しようとする課題】
【０００６】
ところで、記録媒体としては、インク等の記録材が付着される表面の処理状態は異なっていても裏面の処理状態は同じとされた「写真用紙光沢」や「写真用紙半光沢」もあれば、表裏両面の処理状態は同じでも厚さが異なる用紙もある。この点、特許文献１に記載の記録媒体判別装置は、記録媒体の一面で反射された反射光の映像データを用いて記録媒体の種類を識別するものであり、記録媒体の反射面とは反対側の面の状態や、記録媒体の厚さ等の特性を媒体識別のためのパラメータにはしていなかった。そのため、この記録媒体判別装置では、「写真用紙光沢」と「写真用紙半光沢」の識別や、表裏両面の処理状態は同じであるが、厚さの異なる記録媒体の種類を識別することは難しく、このような点において、未だ改善の余地があった。
【０００７】
また、特許文献１では、記録媒体の表面で反射された光の映像データの代わりに、透過用ＬＥＤから光を出射し、記録媒体を透過した光の映像データを用いて記録媒体の種類を識別することについても記載されている。しかし、この場合には、記録媒体で反射された反射光の映像データに置換して透過光の映像データを使用するというものであり、やはり透過光の映像データからだけでは表裏両面の処理状態及び厚さが複合的に異なる記録媒体の種類を識別することは困難であった。
【０００８】
本発明は、上記実情に鑑みてなされたものであり、その目的は、記録媒体の特性情報に基づいて精度の高い記録媒体の種類識別を行うことができる記録媒体識別装置、印刷装置及び記録媒体識別方法を提供することにある。
【課題を解決するための手段】
【０００９】
上記目的を達成するために、本発明は、記録媒体の種類を識別する記録媒体識別装置において、前記記録媒体で反射させるための光を前記記録媒体に照射する第１光源と、前記記録媒体を透過させるための光を前記記録媒体に照射する第２光源と、前記記録媒体で反射された反射光、及び前記記録媒体を透過した透過光を撮像する撮像手段と、記録媒体で反射された反射光の画像情報に対応付けられた記録媒体の第１特性情報、及び記録媒体を透過した透過光の画像情報に対応付けられた記録媒体の第２特性情報を記憶する記憶手段と、前記撮像手段の撮像結果から得られる画像情報を前記記憶手段の記憶内容と照合し、その照合結果によって、前記記録媒体の種類を識別する識別手段と、を備えた。
【００１０】
この発明では、識別手段が、撮像手段の撮像結果から得た画像情報に対応する第１特性情報を特定し、撮像手段の撮像結果から得た画像情報に対応する第２特性情報を特定することができれば、第１特性情報及び第２特性情報に基づいて記録媒体の種類を識別することができる。したがって、識別手段は、反射光の画像情報から把握できる第１特性情報だけでなく、透過光の画像情報から把握できる第２特性情報も参考にして、記録対象としての記録媒体の種類を識別するため、識別手段による識別の精度を高めることができる。
【００１１】
本発明の記録媒体識別装置においては、前記識別手段は、前記撮像手段が撮像した反射光画像情報が、前記記憶手段に記憶された第１特性情報と対応するか否かを照合するとともに、前記撮像手段が撮像した透過光画像情報が、前記記憶手段に記憶された第２特性情報と対応するか否かを照合し、その照合結果によって、前記記録媒体の種類を識別することが好ましい。
【００１２】
この発明では、反射光画像情報と透過光画像情報とで区別してそれぞれ第１特性情報及び第２特性情報と照合するため、反射光画像情報及び透過光画像情報の区別をせずに、第１特性情報及び第２特性情報と照合する場合よりも反射光画像情報と対応する第１特性情報及び透過光画像情報と対応する第２特性情報を正確に特定できる。
【００１３】
本発明の記録媒体識別装置においては、前記識別手段は、前記反射光画像情報が、前記記憶手段に記憶された前記第１特性情報に対応するか否かを照合し、その照合結果に基づいて前記透過光画像情報と照合を行う第２特性情報を絞り込み、そのうえで、前記透過光画像情報が、絞り込まれた第２特性情報のいずれかと対応するか否か照合し、その照合結果によって、前記記録媒体の種類を識別することが好ましい。
【００１４】
この発明では、識別手段は、絞り込まれた第２特性情報を透過光画像情報と照合するだけでよくなるため、透過光画像情報と第２特性情報との照合処理を簡単にすることができる。
【００１５】
本発明の記録装置は、上記発明の記録媒体識別装置と、前記記録媒体を搬送する搬送装置と、前記記録媒体に記録処理を施す記録手段と、前記記録媒体識別装置の識別結果に基づいて前記記録手段及び前記搬送装置を可変制御する制御手段と、を備えた。
【００１６】
この発明では、記録媒体の種類に応じた適切な記録処理及び搬送を行うことができるため、記録媒体に対して高品位な記録処理を施すことができる。
本発明の記録媒体識別方法は、記録対象としての記録媒体の種類を識別する記録媒体識別方法において、前記記録媒体で反射させるための光を前記記録媒体に向けて照射する第１照射段階と、前記記録媒体を透過させるための光を前記記録媒体に向けて照射する第２照射段階と、前記記録媒体で反射された反射光の画像情報、及び前記記録媒体を透過した透過光の画像情報を撮像する撮像段階と、前記撮像段階の撮像結果を利用して、記録媒体で反射された反射光の画像情報に対応付けられた記録媒体の第１特性情報及び記録媒体を透過した透過光の画像情報に対応付けられた記録媒体の第２特性情報の照合を行う照合段階と、前記照合段階の照合結果に基づいて、前記記録媒体の種類を識別する識別段階と、を備えた。
【００１７】
この発明では、上記発明の記録媒体識別装置と同様の作用効果を得ることができる。
【図面の簡単な説明】
【００１８】
【図１】実施形態における記録装置の概略構成図。
【図２】記録装置における制御構成のブロック図。
【図３】用紙種識別処理を示すフローチャート。
【図４】エリアセンサ、反射光用ＬＥＤ、透過光用ＬＥＤを示す模式図。
【発明を実施するための形態】
【００１９】
以下、本発明を記録装置の一種であるインクジェット式プリンター（以下、「プリンター」と略称する。）に適用した実施形態を図１〜図４を用いて説明する。なお、以下の説明において、「前後方向」、「上下方向」をいう場合は、各図中に矢印で示した方向を基準として示すものとする。
【００２０】
図１に示すように、プリンター１１は、箱形状をなす本体フレーム１２を備え、その本体フレーム１２の背面側（後側）には「光沢紙」などの記録媒体としての用紙Ｐをセット可能なセット部１３が設けられている。また、本体フレーム１２内には、セット部１３にセットされた用紙Ｐを搬送経路１４に繰り出すための繰り出しローラー１５と、搬送経路１４の途中に位置する搬送ローラー１６と、搬送ローラー１６よりも搬送方向下流側に位置するレジストローラー１７とが設けられている。
【００２１】
そして、搬送ローラー１６の下方には、搬送ローラー１６の回動に伴って回動軸１８ａを中心に回動する硬質ゴム製の従動ローラー１８が搬送ローラー１６と対をなすように設けられている。また、レジストローラー１７の下方には、レジストローラー１７の回動に伴って回動軸１９ａを中心に回動する従動ローラー１９がレジストローラー１７と対をなすように設けられている。繰り出しローラー１５、搬送ローラー１６及びレジストローラー１７は搬送装置の一部として構成されるとともに、紙送りモーター（以下、「ＰＦモーター」と称す）２０（図２参照）によって回転駆動されるように構成されている。
【００２２】
搬送経路１４には、従動ローラー１８に近接して配置された第１搬送経路形成部材２１と、従動ローラー１９に近接して配置された第２搬送経路形成部材２２とが設けられている。これらの第１搬送経路形成部材２１及び第２搬送経路形成部材２２は、搬送される用紙Ｐの裏面Ｐｂを摺接させることにより、用紙Ｐを搬送経路１４に沿って案内するように構成されている。また、本体フレーム１２内には、搬送された用紙Ｐの表面（印刷面）Ｐｓに記録処理を施す記録手段としての印刷装置２３が、レジストローラー１７よりも下流側に収容されている。
【００２３】
印刷装置２３は、左右方向（図１において紙面と直交する方向）に延びるとともに左右両端が本体フレーム１２に支持された棒状のガイド軸２４と、ガイド軸２４に左右方向への往復移動可能に支持されたキャリッジ２５と、キャリッジ２５の下面側に設けられた記録ヘッド２６とを備えている。キャリッジ２５は、キャリッジモーター（図示略）の駆動に伴って主走査方向となる左右方向に移動可能であるとともに、プラテンギャップ自動調整装置（以下、「ＡＰＧ装置」と称す）２７（図２参照）の駆動に伴って上下方向に移動可能となっている。
【００２４】
また、キャリッジ２５にはインクカートリッジ（図示略）から供給されるインクを一時貯留可能なバルブユニット２８が搭載されており、このバルブユニット２８から記録ヘッド２６にインクが供給されるようになっている。記録ヘッド２６は、キャリッジ２５及びバルブユニット２８とともに主走査方向（左右方向）及び上下方向に移動しながら、記録ヘッド２６の下面側に形成されたノズル開口（図示略）からインクを噴射するようになっている。
【００２５】
また、キャリッジ２５の下方であって、記録ヘッド２６の後方となる位置には、一対の給送ローラー２９が設けられている。そして、一対の給送ローラー２９の前方であって、記録ヘッド２６の下方となる位置には、用紙Ｐの支持台であるとともに記録ヘッド２６と用紙Ｐとのプラテンギャップを規定するプラテン３０が設けられている。さらに、キャリッジ２５の下方であって、プラテン３０の前方となる位置には、一対の給送ローラー３１が設けられている。一対の給送ローラー３１よりも下流側には、本体フレーム１２の前面側に、本体フレーム１２内から排出される用紙Ｐをガイドする排出部３２が設けられている。給送ローラー２９，３１は搬送装置の一部を構成するとともに、ＰＦモーター２０により駆動されるように構成されている。
【００２６】
ここで、搬送経路１４の途中において、第１搬送経路形成部材２１の下流端と第２搬送経路形成部材２２の上流端との間の箇所は、用紙撮像位置Ｌとして設定されている。用紙撮像位置Ｌ付近には、用紙Ｐを透過した透過光の画像、及び用紙Ｐで反射された反射光の画像を撮像するために、第１光源としての反射光用ＬＥＤ３３、第２光源としての透過光用ＬＥＤ３４、及び撮像手段としてのエリアセンサ３５が配設されている。また、用紙撮像位置Ｌには、図示しない紙検出センサが設けられている。
【００２７】
反射光用ＬＥＤ３３は、第１及び第２搬送経路形成部材２１，２２よりも下方に配置され、用紙撮像位置Ｌを下流側に向けて搬送される用紙Ｐ（図１の２点鎖線で示す）の裏面Ｐｂに対して所定の角度をもって前方斜め下方から光を照射する。また、透過光用ＬＥＤ３４は、第１及び第２搬送経路形成部材２１，２２よりも上方に配置され、用紙撮像位置Ｌを下流側に向けて搬送される用紙Ｐの表面Ｐｓに対して垂直に光を照射する。
【００２８】
エリアセンサ３５は、用紙撮像位置Ｌにおいて第１及び第２搬送経路形成部材２１，２２よりも下方で透過光用ＬＥＤ３４に対向するように配置されている。そして、エリアセンサ３５は、反射光用ＬＥＤ３３から出射された後、用紙Ｐの裏面Ｐｂ（反射面）で反射された反射光、及び透過光用ＬＥＤ３４から出射された後、用紙Ｐを透過した透過光の双方を受光する。なお、本実施形態では、エリアセンサ３５はＣＭＯＳによって構成されている。そして、このエリアセンサ３５は、反射光用ＬＥＤ３３から照射されて用紙Ｐの裏面Ｐｂ（反射面）で反射された反射光のうち散乱光を受光する位置に配置されている。
【００２９】
次に、プリンター１１の電気的構成について説明する。
図２に示すように、インクジェット式プリンター１１は、該インクジェット式プリンター１１の稼働状態を制御する制御手段としての制御部３６を備えている。制御部３６には、ＰＦモーター２０、ＡＰＧ装置２７、反射光用ＬＥＤ３３、透過光用ＬＥＤ３４、エリアセンサ３５、操作パネル３７等が電気的に接続されている。
【００３０】
エリアセンサ３５は撮像した画像を制御部３６に送信するように構成されている。エリアセンサ３５が撮像する反射光の画像は、用紙Ｐの裏面Ｐｂの凹凸状態によって異なる。また、エリアセンサ３５が撮像する透過光の画像は、用紙Ｐの表面Ｐｓ及び用紙Ｐの裏面Ｐｂの凹凸状態や用紙Ｐの厚みによって異なる。
【００３１】
操作パネル３７は、制御部３６からの指令を受けて手入力要求状態になると、ユーザーによる用紙の種類の手入力を待つように構成されている。この状態において、操作パネル３７は、ユーザーによる手入力が行われると用紙種信号を制御部３６へ送信するように構成されている。
【００３２】
制御部３６内には、各種の演算を実行するＣＰＵ（中央処理装置）３８と、ＣＰＵ３８の演算結果や制御プログラムを実行して処理する各種データなどを一時的に記憶するＲＡＭ（ランダムアクセルメモリ）３９と、ＣＰＵ３８により実行される制御プログラムなどを記憶する記憶手段としてのＲＯＭ（読み出し専用メモリ）４０とを備えている。
【００３３】
ＣＰＵ３８は、反射光用ＬＥＤ３３及び透過光用ＬＥＤ３４の発光状態を制御可能に構成されるとともに、エリアセンサ３５による撮像動作を制御可能に構成されている。ＣＰＵ３８は、エリアセンサ３５によって撮像された画像の各ピクセルの輝度値を平均してその画像の画像情報としての光量を計算する処理を実行可能に構成されている。ＣＰＵ３８は、ＲＯＭ４０から読み出したプログラムを実行することで、給紙処理、用紙種識別処理、搬送処理、記録処理、排出処理を実行可能に構成されている。
【００３４】
ＣＰＵ３８は、給紙処理においてセット部１３から用紙撮像位置Ｌに向けて用紙Ｐを供給する。また、識別手段を構成するＣＰＵ３８は、用紙種識別処理においてエリアセンサ３５による撮像結果に基づいて用紙の種類を識別する。そして、ＣＰＵ３８は、用紙Ｐの種類を識別すると、用紙Ｐの種類に応じた適切な条件で、搬送処理、記録処理、排出処理を順次に実行する。すなわち、ＣＰＵ３８は、用紙Ｐの種類に応じた適切なプラテンギャップを確保するようにＡＰＧ装置２７を駆動し、用紙Ｐの種類に応じた適切な搬送速度で用紙Ｐを搬送するように、ＰＦモーター２０を制御する。
【００３５】
また、ＣＰＵ３８は、記録処理を実行すると、一対の給送ローラー２９，３１によって搬送方向下流側となる前側に向って用紙Ｐを所定距離搬送する給送処理と、記録ヘッド２６のノズル開口からインクを吐出する印刷処理とを交互に行うようになっている。
【００３６】
また、ＲＯＭ４０には、用紙種識別処理のプログラムデータをはじめとする各種プログラムデータが記憶されている。ＲＯＭ４０には、用紙Ｐの裏面Ｐｂの凹凸状態に関する複数の第１特性情報を格納する第１テクスチャーライブラリと、用紙Ｐの表面Ｐｓの凹凸状態及び用紙Ｐの厚みに関する複数の第２特性情報を格納する第２テクスチャーライブラリとが記憶されている。
【００３７】
第１テクスチャーライブラリに格納された各第１特性情報は、それぞれ各種用紙Ｐの画像情報としての反射光画像と対応付けられる。例えば、裏面Ｐｂの凹凸が少ないという第１特性情報は、裏面Ｐｂの凹凸が少ない「写真用紙光沢」や「写真用紙半光沢」の反射光画像と対応付けられる。また、裏面Ｐｂの凹凸が多いという第１特性情報は、裏面Ｐｂの凹凸が多い「薄手の普通用紙」や「厚手の普通用紙」の反射光画像と対応付けられる。そして、各種用紙Ｐの裏面Ｐｂの凹凸状態と、各種用紙Ｐの反射光画像との関連性は、試験により予め求められている。
【００３８】
また、第２テクスチャーライブラリに格納された各第２特性情報は、それぞれ各種用紙Ｐの画像情報としての透過光画像及び透過光画像の光量と対応付けられる。なお、ここで述べる透過光画像の光量とは、用紙Ｐを介在させずに透過光用ＬＥＤ３４から発した光を直接撮像して得た画像の光量値と、透過光画像の光量値の差分から得られる値である。そして、この光量は、用紙Ｐの厚みと相関関係にあって、用紙Ｐの厚みが厚くなるほど、光量は小さくなる。例えば、厚みが薄く、なおかつ表面の凹凸が少ないという第２特性情報は、「写真用紙光沢」の透過光画像及び透過光画像の光量と対応付けられる。また、厚みが薄く、なおかつ表面Ｐｓの凹凸が多いという第２特性情報は、「薄手の普通用紙」や「写真用紙半光沢」の透過光画像及びその透過光画像の光量と対応付けられる。また、厚みが厚く、なおかつ表面Ｐｓの凹凸が多いという第２特性情報は、「厚手の普通用紙」の透過光画像及びその透過光画像の光量と対応付けられる。そして、各種用紙Ｐの厚みの状態及び各種用紙Ｐの表面Ｐｓの凹凸状態と透過光画像及びその透過光画像の光量との関連性は、試験により予め求められている。
【００３９】
次に、プリンター１１が用紙Ｐに所定の記録処理を施すまでの動作について説明する。
まず、ユーザーにより、プリンター１１の電源スイッチがオンされると、ＣＰＵ３８は、用紙撮像位置Ｌに用紙Ｐがない状態において、透過光用ＬＥＤ３４を発光させたうえでエリアセンサ３５による撮像を実行させる。そして、ＣＰＵ３８は、用紙Ｐがない状態における校正用画像を取得し、この校正用画像の光量を計算した後、ＲＡＭ３９に記憶させる。その後、ユーザーによって、プリンター１１に対して記録処理を行うように命令された場合、ＣＰＵ３８は、記録処理を実行する前に、図３にフローチャートで示す用紙種識別処理を実行する。以下、図３に示すフローチャートに従って用紙種識別処理について説明する。
【００４０】
まず、ＣＰＵ３８は、ステップ（以下、「ステップ」を「Ｓ」という。）１０において、給紙処理を実行し、セット部１３にセットされた用紙Ｐを用紙撮像位置Ｌまで搬送する（図４参照）。そして、ＣＰＵ３８は、図示しない紙検出センサによって用紙が用紙撮像位置Ｌまで給紙されたことが検出されると、その処理を次のＳ１１に移行する。Ｓ１１では、ＣＰＵ３８は、反射光用ＬＥＤ３３を発光させるとともに、エリアセンサ３５による撮像を行わせる。すると、反射光用ＬＥＤ３３から出射された光は、用紙Ｐの裏面Ｐｂで反射されて、その反射光のうち散乱光成分がエリアセンサ３５により受光され（図４で示す実線矢印参照）、ＣＰＵ３８により反射光画像が取得される。そして、ＣＰＵ３８は、取得した反射光画像をＲＡＭ３９に保存する。なお、Ｓ１１における反射光用ＬＥＤ３３の発光は、第１照射段階に相当する。
【００４１】
次に、Ｓ１２において、ＣＰＵ３８は、ＲＯＭ４０から第１テクスチャーライブラリを読み出し、先のＳ１１で取得した反射光画像を第１テクスチャーライブラリの中の第１特性情報と照合する。そして、第１テクスチャーライブラリの第１特性情報の中に反射光画像に該当するものがなかった場合、操作パネル３７を手入力要求状態にして、用紙種識別処理を終了する。なお、この場合、操作パネル３７が操作されて用紙Ｐの用紙種が入力されると、ＣＰＵ３８は操作パネル３７から送信された用紙種信号に基づいて、用紙Ｐの種類を識別する。
【００４２】
また、Ｓ１２において、ＣＰＵ３８は、Ｓ１１で取得した反射光画像に該当する第１特性情報があった場合、該当する第１特性情報をＲＡＭ３９に保存して、Ｓ１３に進む。ここで、Ｓ１２における照合処理では、ＣＰＵ３８は所定の相関関数を用いて、第１特性情報に対応付けられた反射光画像とステップ１１で得られた反射光画像とを比較して一致した場合に該当する第１特性情報があったと判断する。
【００４３】
Ｓ１３では、ＣＰＵ３８は、透過光用ＬＥＤ３４が発光するように制御するとともに、エリアセンサ３５により撮像を行わせる。すると、透過光用ＬＥＤ３４から出射された光は、用紙Ｐを透過して、エリアセンサ３５は透過光を撮像し（図４で示す点線矢印参照）、ＣＰＵ３８は透過光画像を取得して、Ｓ１４に進む。なお、Ｓ１３における透過光用ＬＥＤ３４の発光は、第２照射段階に相当する。Ｓ１１における反射光画像の撮像と、Ｓ１３における透過光画像の撮像とは、撮像段階に相当する。
【００４４】
Ｓ１４において、ＣＰＵ３８は、取得した透過光画像の光量を計算して、その計算結果をＲＡＭ３９に保存する。そして、ＣＰＵ３８は、Ｓ１５に進み、校正用画像の光量値から透過光画像の光量値を差分する差分計算を行い、光量値の校正を行ったうえでＳ１６に進む。
【００４５】
Ｓ１６では、第１特性情報に基づいて、第２テクスチャーライブラリの中から照合を行う第２特性情報を絞り込み、透過光画像及びＳ１５で計算した光量値と絞り込んだ第２特性情報とを照合する。すなわち、Ｓ１２において、裏面Ｐｂの凹凸が少ないという第１特性情報を特定した場合、その結果に基づいてＳ１６で照合する第２特性情報を裏面Ｐｂの凹凸が少ない「写真用紙光沢」及び「写真用紙半光沢」に関連した第２特性情報に絞り込む。そして、Ｓ１６では、Ｓ１３で取得した透過光画像及びＳ１５で計算した光量を、「写真用紙光沢」と「写真用紙半光沢」に関連する第２特性情報とだけ照合を行う。そして、Ｓ１６において、絞り込んだ第２特性情報の中に透過光画像及び光量値に該当するものがなかった場合、操作パネル３７を手入力要求状態にして、用紙種識別処理を終了する。
【００４６】
また、Ｓ１６において、ＣＰＵ３８は、透過光画像及び光量値に該当する第２特性情報があった場合、該当する第２特性情報をＲＡＭ３９に保存して、Ｓ１７に進む。Ｓ１７では、ＣＰＵ３８は、ＲＡＭ３９に保存された第１特性情報及び第２特性情報を分析し、用紙撮像位置Ｌに存在する用紙Ｐの表裏両面の凹凸状態や厚みを把握する。そして、それらの情報に基づいて、用紙Ｐの種類を識別し、その用紙Ｐの種類に対応する制御プログラムをＲＯＭ４０から読み出し、用紙種識別処理を終了する。なお、Ｓ１２及びＳ１６は、照合段階に相当し、Ｓ１７は識別段階に相当する。
【００４７】
ＣＰＵ３８は、用紙種識別処理が終了した後、識別結果に基づいて、その用紙Ｐの種類に適した搬送速度及びプラテンギャップとなるようにＰＦモーター２０及びＡＰＧ装置２７を制御しながら、記録処理を実行し、用紙Ｐに所定の記録を残す。
【００４８】
次に、記録媒体識別装置の制御内容を説明する。
プリンター１１が印刷を行う場合、プリンター１１は、まず、用紙種判別処理を行うことで、記録対象とした用紙Ｐの表面状態、裏面状態、及び厚みを把握する。そして、プリンター１１は、用紙Ｐの表面Ｐｓ及び裏面Ｐｂの両方とも凹凸が少なく、厚みが薄いことを把握して、用紙Ｐの種類は「写真用紙光沢紙」であると識別する。そして、プリンター１１は、その識別結果に基づいて、ＰＦモーター２０及びＡＰＧ装置２７を制御することで、「写真用紙光沢」に適した条件で記録処理を行う。そのため、用紙Ｐには、高品質な印刷を施すことができる。
【００４９】
また、「写真用紙光沢」からなる用紙Ｐに記録処理を行った後、セット部１３から再び用紙Ｐが給紙された場合、プリンター１１は、用紙種判別処理を行う。このとき、プリンター１１は、用紙Ｐの表面Ｐｓは凹凸が多く、用紙Ｐの裏面Ｐｂは凹凸が少なく、厚みが薄いことを把握すると、用紙Ｐの種類は「写真用紙半光沢」であると識別する。そして、プリンター１１は、「写真用紙光沢」に適した条件から、「写真用紙半光沢」に適した条件で記録処理を行うように、ＰＦモーター２０及びＡＰＧ装置２７の制御内容を変更する。
【００５０】
したがって、プリンター１１が記録処理を行う用紙Ｐの種類が「写真用紙光沢」から「写真用紙半光沢」に変わっても、用紙Ｐに対するインク打ち込み量や、用紙Ｐの搬送速度を用紙Ｐの種類に応じた適切な状態に変えることができる。そして、多くの種類の用紙Ｐに対して高品位な印刷を実現することができる。また、用紙Ｐの種類が変わることで用紙Ｐの厚さが変わっても、それに応じて搬送速度を調整することで、レジストローラー１７及び給送ローラー２９，３１が用紙Ｐに対して起こすスリップを低減することができる。
【００５１】
上記説明した実施形態によれば、以下のような効果を得ることができる。
（１）プリンター１１は、反射光用ＬＥＤ３３、透過光用ＬＥＤ３４、及びエリアセンサ３５を備え、エリアセンサ３５は、用紙Ｐによって反射された反射光の画像及び用紙Ｐを透過した透過光の画像を撮像するように構成されている。また、ＲＯＭ４０には、反射光画像に対応する第１特性情報及び透過光画像に対応する第２特性情報が記憶されている。そして、ＣＰＵ３８は、エリアセンサ３５の撮像結果から得られる反射光画像及び透過光画像を、ＲＯＭ４０に記憶された第１特性情報及び第２特性情報と照合し、その照合結果によって、用紙Ｐの種類を識別する。したがって、反射光画像から把握できる第１特性情報だけでなく、透過光画像から把握できる第２特性情報も参考にして、用紙Ｐの種類を識別できるため、用紙Ｐの種類識別の精度を高めることができる。
【００５２】
（２）ＣＰＵ３８は、Ｓ１２において、反射光画像がＲＯＭ４０に記憶された第１特性情報のいずれかと対応する否かを照合し、それによって、Ｓ１６で照合する第２特性情報の候補を絞り込む。そして、Ｓ１６では、絞り込まれた第２特性情報と透過光画像とを照合し、第２特性情報を特定し、第１特性情報と第２特性情報とにより用紙Ｐの種別を判定する。したがって、Ｓ１６では、ＣＰＵ３８は、候補として絞り込まれた第２特性情報と透過光画像との照合を行うだけでよくなるため、透過光画像と第２特性情報との照合処理を簡単にすることができる。
【００５３】
（３）ＣＰＵ３８は、Ｓ１５において、Ｓ１３で取得した透過光画像と校正用画像との差分計算を行い、透過光画像の校正処理を行う。したがって、エリアセンサ３５が透過光を受光するときの環境の違いによる、透過光画像の輝度等のばらつきを補正することができる。したがって、透過光画像から、用紙Ｐの特性に即した適正な第２特性情報を特定することができる。
【００５４】
（４）ＣＰＵ３８は、用紙種識別処理において、用紙Ｐの種類を識別した後、その用紙Ｐの種類に適した搬送速度及びプラテンギャップとなるようにＰＦモーター２０及びＡＰＧ装置２７を制御しながら、記録処理を実行する。したがって、多くの種類の用紙Ｐに対して高品位な印刷を行うことができる。
【００５５】
なお、上記実施形態は以下のような別の実施形態に変更してもよい。
・用紙種識別処理において、Ｓ１４の透過光画像の光量測定処理及びＳ１５の差分計算による校正処理を省略してもよい。そして、ＲＯＭ４０には、透過光画像に対応付けて第２特性情報を記憶させることで、Ｓ１６において、Ｓ１５で取得した透過光画像に対応する第２特性情報を特定できるようにすればよい。
【００５６】
・本発明の記録媒体識別装置が識別する記録媒体の種類としては、「写真用紙光沢」、「写真用紙半光沢」、「厚手の普通紙」、「薄手の普通紙」に限らない。透過光画像及び反射光画像から識別可能な記録媒体であれば、他の種類の記録媒体、例えば「フィルム」、「布材」や「金属板材」などを用いてもよい。
【００５７】
・エリアセンサ３５は、レンズにより結像された反射光及び透過光を受光するようにしてもよい。この場合、例えば、レンズは、エリアセンサ３５と用紙撮像位置Ｌに配置された状態における用紙Ｐとの間であって、反射光及び透過光の両方が通過する位置に配置すればよい。
【００５８】
・透過光画像は記録媒体の密度によって異なるため、第２特性情報は用紙Ｐの密度の大きさであってもよい。この場合、ＲＯＭ４０には記録媒体の密度に関する第２特性情報を透過光画像と対応付けることで、密度の大小によって記録媒体の種類を識別するようにしてもよい。
【００５９】
・第１光源としては、記録媒体に向けて波長の異なる光を発するものであればよく、反射光用ＬＥＤ３３に代えてハロゲンランプを用いてもよい。
・第２光源としては、記録媒体に向けて波長の異なる光を発するものであればよく、透過光用ＬＥＤ３４に代えて、ハロゲンランプ等を用いてもよい。
【００６０】
・撮像手段としてのエリアセンサ３５は、ＣＭＯＳに限らない。例えば、エリアセンサ３５として、ＣＣＤを用いてもよい。また、撮像手段としては、面単位で撮像するものに限らず、例えば、ラインセンサを用いてもよい。
【００６１】
・上記実施形態では、記録装置をインクジェット式プリンターに具体化したが、この限りではなく、例えば、電子写真方式等他の方式のプリンター、ＦＡＸ装置、コピー装置、あるいはこれら複数機能を備えた複合機等に具体化してもよい。さらに、インク以外の他の液体（機能材料の粒子が液体に分散又は混合されてなる液状体、ゲルのような流状体を含む）を噴射したり吐出したりする液体噴射装置を備えることもできる。例えば、液晶ディスプレイ、ＥＬ（エレクトロルミネッセンス）ディスプレイ及び面発光ディスプレイの製造などに用いられる電極材や色材（画素材料）などの材料を分散又は溶解のかたちで含む液体（液状体）を噴射する液体噴射装置、バイオチップ製造に用いられる生体有機物を噴射する液体噴射装置、精密ピペットとして用いられ試料となる液体を噴射する液体噴射装置を備えてもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置、ゲル（例えば物理ゲル）などの液体（流状体）を噴射する液体噴射装置を備えてもよい。
【符号の説明】
【００６２】
１１…記録装置としてのプリンター、３３…第１光源としての反射光用ＬＥＤ、３４…第２光源としての透過光用ＬＥＤ、３５…撮像手段としてのエリアセンサ、３６…識別手段としての制御部、３７…記憶手段としてのＲＯＭ、Ｐ…記録媒体としての用紙。
【図１】
2010195518.tif 000003
【図２】
2010195518.tif 000004
【図３】
2010195518.tif 000005
【図４】
2010195518.tif 000006